(57)【要約】  本発明は、衛生設備用のホース継手（１）であって、管状の継手・ベース体（２）を備え、継手・ベース体は、少なくとも１つのベース体・端部領域に、フレキシブルな送水ホース（４）の被せ嵌めのための、少なくとも部分領域に成形部を備えるホースコネクタ（３）を有し、更にフェルール（６）を備え、フェルールは、変形状態で、送水ホースの、フェルールにより取り囲まれたホース端部（５）をホースコネクタ（３）上に固定する形式のものに関し、本発明により、送水ホースの、フェルールにより取り囲まれたホース端部は、ホースコネクタ（３）上に相対回動不能に固定され、かつ、ホース端部（５）は、ホースコネクタの周方向で非円形の成形区分（７）に被せ嵌め可能である。本発明のホース継手により、送水ホースと継手・ベース体との間のねじり力伝達を可能にしているので、本発明のホース継手は、送水ホースの組み付け及び取り外しを、狭められたスペース状況下でも極めて容易にしている。
2012519260.tif 000002
【特許請求の範囲】
【請求項１】
衛生設備用のホース継手（１）であって、管状の継手・ベース体（２）を備えており、該継手・ベース体は、該継手・ベース体の少なくとも１つのベース体・端部領域に、フレキシブルな送水ホース（４）の被せ嵌めのための、少なくとも部分領域に成形部を備えるホースコネクタ（３）を有しており、更にフェルール（６）を備えており、該フェルールは、変形された状態で、前記送水ホース（４）の、該フェルール（６）により取り囲まれたホース端部（５）を前記ホースコネクタ（３）上に固定するようになっている形式のものにおいて、前記送水ホース（４）の、前記フェルール（６）により取り囲まれた前記ホース端部（５）は、前記ホースコネクタ（３）上に相対回動不能に固定されるようになっており、かつ、該ホース端部（５）は、前記ホースコネクタ（３）の周方向で非円形の成形区分（７）に被せ嵌められるようになっていることを特徴とする、衛生設備用のホース継手。
【請求項２】
前記非円形の成形区分（７）は、周方向で角張って形成されている請求項１に記載のホース継手。
【請求項３】
前記非円形の成形区分（７）の角部（８）は、それぞれ９０度以下の鋭角を成しており、且つ／又は前記非円形の成形区分（７）は、周方向で３つ若しくは４つの角をもって形成されている請求項１又は２に記載のホース継手。
【請求項４】
前記非円形の成形区分（７）は、前記ホースコネクタ（３）の、自由なコネクタ端部とは逆の側の部分領域に設けられている請求項１から３のいずれか１項に記載のホース継手。
【請求項５】
前記フェルール（６）の、前記自由なコネクタ端部とは逆の側の、有利には前記ホース端部（５）を超えて突出するスリーブ端部領域（１２）は、半径方向内側へ前記継手・ベース体（２）に向けて変形されている請求項１から４のいずれか１項に記載のホース継手。
【請求項６】
前記半径方向内側へ変形されたスリーブ端部領域（１２）は、該スリーブ端部領域の、前記継手・ベース体（２）に向いている端縁部でもって、該継手・ベース体（２）の円形の若しくは円くされた部分領域（１３）を取り囲んでおり、或いは該継手・ベース体（２）の角のある部分領域を相対回動不能に取り囲んでいる請求項１から５のいずれか１項に記載のホース継手。
【請求項７】
前記ホースコネクタ（３）は、該ホースコネクタの自由なコネクタ端部領域に、該自由なコネクタ端部に向かって円錐形に先細の被せ嵌め円錐部（９）を有している請求項１から６のいずれか１項に記載のホース継手。
【請求項８】
前記被せ嵌め円錐部（９）と前記非円形の成形区分（７）との間に、少なくとも１つの環状つば若しくは環状段部（１０，１１）が設けられている請求項１から７のいずれか１項に記載のホース継手。
【請求項９】
前記少なくとも１つの環状段部（１０，１１）は、前記自由なコネクタ端部に向かって円錐形に先細になっている請求項１から８のいずれか１項に記載のホース継手。
【発明の詳細な説明】
【技術分野】
【０００１】
本発明は、衛生設備用のホース継手であって、管状の継手・ベース体を備えており、継手・ベース体は、継手・ベース体の少なくとも１つのベース体・端部領域に、フレキシブルな送水ホースの被せ嵌めのための、少なくとも部分領域に成形部を備えるホースコネクタを有しており、更にフェルールを備えており、フェルールは、変形された状態で、送水ホースの、フェルールにより取り囲まれたホース端部をホースコネクタ上に固定するようになっている形式のものに関する。
【０００２】
前記形式の衛生設備用のホース継手は、一般的に、フレキシブルなホース管路のホース端部に用いられるものである。この種のフレキシブルなホース管路（ホース通路又はホースパイプ）は、例えば衛生設備用の送水管路の壁側の管路接続部と衛生設備用の蛇口とを接続するために、次第に用いられるようになっており、蛇口は、水盤（ボウルや洗面器若しくは手洗器等）に組み付けられているものである。この場合に蛇口は、一般的に、水盤の、利用者の位置する側とは反対側の水盤縁部に組み込まれている。蛇口の、ホース継手に対応して設けられた継手対向片へのアクセスが水盤により妨げられているので、また、蛇口に設けられた継手対向片（ホース継手への接続部）へのアクセスは、蛇口を利用者の位置する側とは反対側の水盤縁部に配置してあることによっても困難であるので、蛇口に設けられた継手対向片に対するフレキシブルなホース管路の組み付け（取り付け又は接続）及び取り外し（分離）は、しばしば極めて厄介な作業である。蛇口に向けられているホース継手へのホーススパナー若しくはパイプレンチの装着のために必要なスペースは、しばしば与えられていない。
【０００３】
公知のホース継手は、一般的に管状の継手・ベース体を有している。フレキシブルな送水ホースの、継手・ベース体のホースコネクタに被せ嵌められるホース端部は、フェルール(ferrule)若しくはクランプスリーブを用いて確保されるようになっており、フェルール若しくはクランプスリーブは、押し潰された状態若しくは適切に変形された状態で、ホースコネクタに被せ嵌められたホース端部を強固に包囲して、ホース端部を、ホースコネクタに設けられた成形部へ押圧するようになっている。成形部を回転対称に形成してあるので、また、ホースコネクタに被せ嵌められたホース端部は、成形部の回転対称な形成に基づきホース継手に対して容易に回動してしまうので、ホース継手の水密な結合のために、公知技術においては、ホース継手を、水盤の領域における狭められたスペース状況下でも、ホース継手に装着される工具により組み付ける必要がある。
【０００４】
本発明の課題は、冒頭に述べた形式の衛生設備用のホース継手に改良を加えて、該ホース継手により、該ホース継手に結合された送水ホースの組み付けを、狭められたスペース状況下でも著しく容易にすることである。
【０００５】
前記課題を解決するために本発明の構成によれば、冒頭に述べた形式のホース継手において、送水ホースの、フェルールにより取り囲まれたホース端部は、ホースコネクタ上に相対回動不能に固定されるようになっていて、ホースコネクタの周方向で非円形の成形区分に被せ嵌められるようになっている。
【０００６】
本発明に基づくホース継手において、送水ホースの、フェルールにより取り囲まれたホース端部は、ホースコネクタ上に相対回動不能に固定されるようになっている。更に、送水ホースのホース端部は、ホースコネクタの周方向で非円形の、つまりホースコネクタの軸線に対して垂直な横断面で見て非円形の成形区分に被せ嵌められるようになっている。特に、圧縮スリーブ又はクリンプスリーブ(crimp sleeve)とも呼ばれるフェルール若しくはクランプスリーブ（締め付けスリーブ）を、非円筒形若しくは非円形の成形区分の領域でクリンプ加工して、これにより、フェルール若しくはクランプスリーブをホース端部の周囲に強固に係合させて、ホースコネクタの成形部へ押圧する場合には、ホースの周方向でホースに作用する力が、必然的にホース継手に対するホースの相対的な回動運動に変換されるようなことは、もはやなくなっている。追加的に若しくは代わりに、１つの形態によれば、フェルールのクリンプ加工（縮め加工又は縮径加工）された領域で押し退けられるホース材料は、一方で非円形の成形区分と他方でフェルールの場合によりクリンプ加工される部分領域との間に画定される環状スペース内へ押し退けられて、そこで応力若しくは締め付け力を受けるようにされ、これにより、環状スペースの領域でホース材料に作用する押圧力（プレス力）が、ホース端部を非円形の成形区分に向けて、相対回動不能に押圧するようになっている。非円形の成形区分の領域では、ホースコネクタ上に被せ嵌められたホース端部は、フェルール若しくはクランプスリーブを非円形の成形区分の領域でクリンプ加工しているか、クリンプ加工していないかに左右されることなく、相対回動不能に固定される。従って、ホースの周方向でホースに作用する力は、ホースを介して、ホースと相対回動不能に結合されたホース継手に伝達されることになり、結果として、一方でねじ継手と他方で例えば衛生設備用の蛇口との間のねじ結合部が、必要に応じて容易に締め付けられ若しくは緩められるようになっている。
【０００７】
本発明に基づくホース継手は、トルク伝達を、必要に応じて規定された範囲内で可能にすることもできる。このような形態においては、送水ホースの、フェルールにより取り囲まれているホース端部は、ホースコネクタ上に次のように相対回動不能に固定されており、つまり、送水ホースは、ホース継手へのトルク伝達を、規定された範囲内でのみ可能にして、規定されたトルク（回転モーメント又はねじり力）の超えられた場合には、破損することなしに、ホース継手に対して若しくは継手・ベース体に対して相対的に回動できるようになっている。本発明に基づくホース継手によりトルク伝達を規定された範囲内でのみ可能にする場合に、該ホース継手は、いわゆる所定の限度内でのトルク伝達結合機能を有しており、即ち、規定されたトルクの超えられた際にようやくホースとホースコネクタとの回動滑りを発生させるようになっている。規定されたトルクの超えられた後のホースのこのような回動滑りは、過度なねじりに起因するホースの破損を防止し、また、ホースとホースコネクタとの間の結合部が回動に対して完全に剛性的である場合などに発生するホースの急激なつぶれ若しくは座屈を防止するものである。伝達可能なトルクは、例えば、一方で継手・ベース体と他方で接続蛇口との間に設けられたリングシールが圧縮されて、該領域における頑丈で密な結合が保証されるような値に規定されており、このように規定されたトルクが超えられると、ホースは、ホースの過度なねじり及び急激なつぶれ若しくは座屈をおそれることなしに、ホースコネクタに対して滑り回動するようになっている。つまり、本発明に基づくホース継手は、破損防止のためのトルク制限機能を有しており、このような機能は、未熟な作業員によりホース継手の組み付けられる製品の信頼性をも高めるものであり、なぜならば、破損防止のためのトルク制限機能は、ホース継手の過度なねじりに起因する破損を予め防止し、従って、ホース継手の組み込まれる製品が、組み込まれたホース継手の破損に基づき使用できなくなることを防止するからである。本発明に基づくホース継手は、該ホース継手と結合された送水ホースの取り付けを、狭められたスペース状況下でも容易にするという特徴を有している。
【０００８】
本発明の特に簡単かつ有利な形態によれば、ホース継手の管状又は円筒状の継手・ベース体のホースコネクタの非円形の成形区分（異形の成形区分）は、ホースコネクタの周方向で角張って形成され、言い換えれば、ホース継手の軸線に対する垂直な横断面で見て複数の角をもって、つまり実質的に多角形に形成されている。周方向で角張って形成された非円形の成形区分は、フェルール若しくはクランプスリーブの押圧力又は締め付け力下で、一方ではホースコネクタ上に被せ嵌められたホース端部と他方ではホース継手との間の相対運動が全く不可能になる程度に、ホース材料内に確実にかつ強固に食い込むようになっている。
【０００９】
一方で本発明に基づくホース継手と他方でホースコネクタ上に被せ嵌められたホース端部との間の確実かつ強固な又は頑丈な結合は、非円形の成形区分の長い支持面により画定される各角部が、それぞれ９０度以下の鋭角を成していることにより、及び／又は非円形の成形区分が、周方向で３つ若しくは４つの角をもって形成されていることにより、促進される。非円形の成形区分の角部が鋭角を成している、大きくても直角を成している場合には、角部に、送水ホースのホース材料内に特に良好に食い込むグリップエッジ若しくはナイフエッジが形成される。
【００１０】
ホース端部を、衛生設備用のホース継手のホースコネクタに被せ嵌めねばならないので、また、このために、ホースコネクタの直径を被せ嵌め方向で増大させるので、有利には、非円形の成形区分はホースコネクタの、自由なコネクタ端部とは逆の側の部分領域に設けられている。ホースコネクタの自由なコネクタ端部とは逆の側の部分領域に設けられ非円形の成形区分も、送水ホースの、少なくとも成形区分でも必要に応じて拡大されるホース端部のホース材料内へ特に良好に食い込むために、大きな直径を有していてよい。
【００１１】
本発明に基づくホース継手のホースコネクタ上でクリンプ加工されるフェルール若しくはクランプスリーブを、変形された状態でホース継手に確実かつ頑丈に保持するために、有利には、フェルールの、ホースコネクタの自由なコネクタ端部とは逆の側の、有利にはホース端部を超えて突出するスリーブ端部領域（フェルール端部領域）は、半径方向内側へ継手・ベース体に向けて変形されている。
【００１２】
本発明の有利な形態によれば、フェルール若しくはクランプスリーブの半径方向内側へ変形されたスリーブ端部領域は、スリーブ端部領域の、継手・ベース体に向いている端縁部でもって、継手・ベース体の円形の部分領域又は段部、若しくは円くされ又は丸味の付けられた部分領域又は段部を取り囲んでおり、或いは継手・ベース体の角のある部分領域若しくは異形の部分領域を相対回動不能に取り囲んでいる。半径方向内側へ変形されたスリーブ端部領域により、継手・ベース体の角のある部分領域若しくは異形の部分領域を相対回動不能に取り囲んでいる場合には、ホース継手と、ホースコネクタに被せ嵌められたホース端部とフェルールとの間の相対回動不能な結合部が形成されることになる。しかしながら特に有利な形態によれば、半径方向内側へ変形されたスリーブ端部領域は、スリーブ端部領域の、継手・ベース体に向いている端縁部でもって、継手・ベース体の円形の部分領域又は段部、若しくは丸味の付けられた部分領域又は段部を取り囲んでおり、このような構成により、相対回動不能な結合は、継手・ベース体のホースコネクタと該ホースコネクタ上に被せ嵌められたホース端部との間の分離面（境界面）に限定されて、フェルールとホース端部との間並びにホース端部とホースコネクタとの間の不都合なトルク伝達は避けられるようになっている。
【００１３】
フレキシブルな送水ホースのホース端部をホースコネクタ上に簡単に被せ嵌め、更にホースコネクタ上に被せ嵌められたホース端部を、非円形の成形区分上へ容易に移動できるようにするために、有利には、ホースコネクタは、ホースコネクタの自由なコネクタ端部領域に、自由なコネクタ端部に向かって円錐形に先細の被せ嵌め円錐部（被せ嵌め傾斜部）を有している。
【００１４】
送水ホースと本発明に基づくホース継手との間の負荷又は荷重に対して耐えられる強固な結合部を形成するために、本発明の形態によれば、継手・ベース体のホースコネクタの被せ嵌め円錐部と非円形の成形区分との間に、少なくとも１つの環状つば又は環状フランジ若しくは環状段部を設けてある。ホースコネクタに設けられた少なくとも１つの環状段部は、ホースコネクタから側方へ、つまり半径方向外側へ突出しているので、ホースコネクタからのホース端部の意図しない引き抜きは避けられるようになっている。
【００１５】
本発明の有利な形態によれば、ホースコネクタに設けられる環状段部は、自由なコネクタ端部に向かって円錐形に先細になっていて、これにより被せ嵌め方向で鉤フック状に作用するようになっている。
【００１６】
次に本発明を、図示の実施形態に基づき詳細に説明する。本発明に基づく種々の構成は、本発明の実施に際して単独に若しくは任意に組み合わせて用いられるものである。
【図面の簡単な説明】
【００１７】
【図１】衛生設備用のホース継手の縦断面図であり、ホース継手は、成形されたホースコネクタを備えており、該ホースコネクタ上に、フレキシブルな送水ホースのホース端部が被せ嵌められて、該ホース端部上でクリンプ加工されるフェルールを用いて固定されている。
【図２】図１のホース継手を、そのホースコネクタの箇所で図１のＩＩ−ＩＩ線に沿って横断面して示す図である。
【図３】図１，２のホース継手を、図２のＩＩＩ−ＩＩＩ線に沿って縦断面して示す図である。
【図４】図１〜３のホース継手の、フェルールとホース継手と送水ホースとの間の結合領域及び移行領域の拡大縦断面図である。
【図５】図１〜４のホース継手の斜視図である。
【図６】図１〜５のホース継手の実施形態に対応する別の実施形態の２つのホース継手の典型的な組み付け状態の縦断面図であり、ホース継手は、衛生用の蛇口の蛇口本体の、吐水口とは逆の側の端部に取り付けられている。
【図７】図１〜６のホース継手の実施形態に対応する別の実施形態のホース継手を示す縦断面図であり、ホース継手のホースコネクタ上に、金属製編組体若しくはプラスチック製編組体により編組外装されたフレキシブルな送水ホースのホース端部が被せ嵌められている。
【００１８】
図１〜図５に示してあるホース継手１は、円筒状若しくは管状の継手・ベース体２を備えている。継手・ベース体２は、該継手・ベース体の少なくとも１つのベース体端部にホースコネクタ３を有しており、該ホースコネクタは、フレキシブルな送水ホース４が該ホースコネクタに被せ嵌められるように規定されている。ホースコネクタ３に被せ嵌められたホース端部５の意図しない引き抜きに抗する作用を得るために、ホースコネクタ３は、少なくとも１つの部分領域で成形して形成されている。
【００１９】
ホース継手１にはフェルール６を配設してあり、該フェルール(ferrule)は、ホースコネクタ３に被せ嵌められたホース端部５を取り囲むようになっている。ホース端部を取り囲むクランプスリーブ若しくはフェルール６は、ホース端部５上で次のようにクリンプ加工され、つまり、変形させられた図示の状態で、送水ホース４のホース端部５をホースコネクタ３に固定するようになっている。
【００２０】
送水ホース４の、フェルール６により取り囲まれたホース端部５を、ホースコネクタ３上で相対回動不能に固定し、かつ送水ホース４とホース継手１との間でのトルク（回転モーメント）の少なくとも限定的な伝達を可能にするために、ホースコネクタ３は、該ホースコネクタの、ホース端部５により取り囲まれる領域に、周方向で非円形の成形区分７を有している。
【００２１】
ホース端部５とホースコネクタ３との間の、できるだけ荷重（負荷）を受け止めることのできる相対回動不能な結合を達成するために、非円形の成形区分７は、周方向で角張って形成されている。非円形の成形区分７の、周方向で角張って形成されてなる角部８は、図示の実施形態では平たく若しくは平らに形成された主要面により互いにつながれており、該主要面は、継手・ベース体の外周面を画定する仮想の円の割線により規定されるものである。高いトルク伝達を必要とする場合には、非円形の成形区分７の角部８を互いにつなぐ主要面、つまりエッジ間に設けられる主要面は、図示の平らな主要面の代わり、凸面若しくは凹面として形成されていてよいものである。非円形の成形区分７の角部８は、非円形の成形区分７の長い支持面２０により画定される角部が、それぞれ９０度以下の鋭角を成している場合には、実質的にグリップエッジ状若しくはナイフエッジ状に作用してホース材料内に食い込むようになっている。このために、非円形の成形区分７は、図示の実施形態では実質的に横断面四角形に形成されている。
【００２２】
ホースコネクタ３上へのホース端部５の被せ嵌めは、ホースコネクタ３がその自由なコネクタ端部の領域に、該自由なコネクタ端部に向かって円錐形に先細の被せ嵌め円錐部９を有している場合に、容易に行われる。これに対して、非円形の成形区分７を、ホース端部５を開き広げるような大きな直径で形成するために、非円形の成形区分７は、有利な実施形態によれば、ホースコネクタ３の自由なコネクタ端部とは逆の側の部分領域に設けられている。
【００２３】
図１〜図５に明確に示してあるように、被せ嵌め円錐部９と非円形の成形区分７との間には、複数の環状つば若しくは環状段部１０，１１を設けてあり、該環状つば若しくは環状段部は、ホースコネクタ３からのホース端部５の意図しない引き抜きに抗して作用するようになっている。
【００２４】
環状段部１０，１１並びに被せ嵌め円錐部９の、送水ホース４とは逆の側の端面が、半径方向の面内に配置されているので、環状段部１０，１１も、自由なコネクタ端部に向かって円錐形に先細になっていることにより、ホース端部５に実質的に鉤フック状に作用して、ホース端部５をホースコネクタ３上に保持するようになっている。
【００２５】
図１と図５との比較により、特に図４の拡大図から明らかなように、フェルール６の、自由なコネクタ端部とは逆の側で有利にはホース端部５を超えて突出するスリーブ端部領域１２は、半径方向内側へ、継手・ベース体２に向けて変形されている。これにより、半径方向内側へ変形されたスリーブ端部領域１２は、継手・ベース体２に向いた端縁部で、継手・ベース体２の円形の若しくは円くされた部分領域１３を取り囲んでいる。継手・ベース体２の、フェルール６の半径方向内側へ変形されたスリーブ端部領域１２により取り囲まれている円形の部分領域１３は、フェルール６を、組立中に、特に継手・ベース体２へのフェルール６のクリンプ加工中に中心位置決め、つまりセンタリングするようになっている。更に、継手・ベース体２の、シリンダー状又は円筒状のつば若しくはフランジとして形成された円形の部分領域１３は、フェルール６のための案内としても用いられている。
【００２６】
フレキシブルな送水ホース４のホース端部５を、ホース継手１のホースコネクタ３に被せ嵌めて、フェルール６の所定のスリーブ・部分領域のクリンプ加工によりホース端部５をホースコネクタ３上に固定することに基づき、送水ホース４とホース継手１の管状の継手・ベース体２との間の力伝達可能な結合部が形成される。図示の実施形態では、フェルール６のクリンプ加工されていない上側のスリーブ端部領域には、閉じられた環状のスペース１４が形成されており、該スペースは、ホース材料で満たされている。フェルール６のクリンプ加工された所定のスリーブ・部分領域での変形により、ホース材料は、一方で、送水ホースの、束縛されずに緩められている側へ押圧され、かつ他方で、ホース材料は、内側を継手・ベース体２により、かつ外側をフェルール６により画定された環状のスペース１４内へ押圧される。環状スペース１４内では、ホース材料は、環状スペース１４の領域内でホース材料に作用する押圧力が、ホース端部を、非円形の成形区分７に向けて相対回動不能に押し付けるような応力を受けている。いまトルクが作用すると、継手・ベース体２は、ホース材料に支えられるようになっている。ホース材料の弾性は、ホース材料がフェルール６の閉じられた環状スペース１４の領域で十分に後退して、つまり圧縮されて、送水ホース４に対する継手・ベース体２の相対回動を許す程に高いものではない。
【００２７】
図示のホース継手１の本発明に基づく構成により、送水ホース４に対する継手・ベース体２の相対回動は防止されている。従って図示の送水ホースは、トルク伝達を、必要に応じて規定される所定の範囲内で、例えば１．５Ｎｍの値までで可能にしている。トルク伝達を、規定された範囲内で可能にする、或いは達成するために、有利な形態によれば、非円形の成形区分７の一般的にナイフエッジとして形成される角部（コーナ部）８は、図示の実施形態のように、丸味をもって、或いは鈍角に構成されている。この場合に、送水ホース４の、フェルール６により取り囲まれているホース端部５は、送水ホース４がホース継手１へのトルク伝達を、規定された範囲内でのみ可能にするように、ホースコネクタ３上に相対回動不能に固定されており、このような構成により、送水ホース４は、規定されたトルク（ねじり力）が超えられた場合にのみ、ホース継手１に対して若しくは継手・ベース体２に対して相対的に回動して、破損されないようになっている。これにより、本発明に基づくホース継手１は、所定の限度内でのトルク伝達結合機能を有しており、このような機能は、未熟な作業員により該ホース継手１が組み付けられる製品の信頼性をも高めて、該製品が、組み込まれたホース継手１の破損に基づき使用できなくなることを防止するものである。
【００２８】
図６には、典型的な組み付け状態が縦断面で示されている。図６は、衛生用の蛇口の蛇口本体１５の、吐水口とは逆の下側の部分領域を示している。図６から明らかなように、蛇口本体は中空室を有しており、該中空室内には、フレキシブルな２つの送水ホース（温水用及び冷水用）の取り付けのための２つの雌ねじが設けられている。図１〜図５のホース継手１は、継手・ベース体２の、ホースコネクタ３とは逆の側の端部領域にユニオンナットのための環状フランジ１６を有しているのに対して、図６のホース継手１には、雄ねじ１７及びシールリング１８が設けられている。ホース継手１はその雄ねじ１７でもって、蛇口本体１５に設けられた雌ねじ内に、シールリング１８により液密な結合部を形成するようになるまで、ねじ込まれる。蛇口本体１５内におけるホース継手１の深い組み付け位置に基づき、工具をホース継手に係合させることができないので、送水ホース４と継手・ベース体２との間の高いねじり力伝達（トルク伝達）を可能にするホース継手１は、雌ねじ内へのねじ込みのための工具としても機能し得るという優れた利点を有するものである。図６に示してある実施形態の場合にも、送水ホース４の、フェルール６により取り囲まれたホース端部５は、送水ホース４がホース継手１へのトルク伝達を、規定された範囲内でのみ可能にするように、ホースコネクタ３上に相対回動不能に固定されている。この場合に、送水ホース４を介してホース継手１に伝達可能なトルクは、ホース継手１と蛇口本体１５との間に設けられたシールリング１８が、頑丈で密なホース結合を保証するために、十分な締め付け力により半径方向に圧着され得るように、規定される。このように規定されたトルクが超えられると、ホースコネクタ３に取り付けられているホース４は、ホース継手１若しくは継手・ベース体２に対して、破損することなく回動するようになり、その結果、ホース４の損傷のおそれがなくなっている。本発明の上述の構成により、図６に示してある構成条件、つまり、蛇口本体１５に設けられた雌ねじへのアクセスが構成スペースの狭いことに基づき困難であるという条件下でも、ホース継手１の組み付け及び取り外しが、従来技術に比べてより簡単に行われるようになっている。
【００２９】
図７に示してある実施形態においては、エラストマ材料から形成された送水ホース４が、金属製編組体若しくはプラスチック製編組体１９を用いて外装されていてよく、該金属製編組体若しくはプラスチック製編組体により、送水ホース４の耐圧性は高められている。
【００３０】
図示を省略してあるものの、ホースの図７の実施形態に対応する別の実施形態によれば、金属製編組体若しくはプラスチック製編組体１９は、追加的に、衛生的に平滑な表面を保証する保護套壁によって被覆されている。
【符号の説明】
【００３１】
１  ホース継手、  ２  継手・ベース体、  ３  ホースコネクタ、  ４  送水ホース、  ５  ホース端部、  ６  フェルール、  ７  成形区分、  ８  角部、  ９  被せ嵌め円錐部、  １０，１１  環状段部、  １２  スリーブ端部領域、  １３  部分領域、  １４  スペース、  １５  蛇口本体、  １６  環状フランジ、  １７  雄ねじ、  １８  シールリング、  １９  金属製編組体若しくはプラスチック製編組体
【図１．４】
2012519260.tif 000003
【図２】
2012519260.tif 000004
【図３】
2012519260.tif 000005
【図５】
2012519260.tif 000006
【図６】
2012519260.tif 000007
【図７】
2012519260.tif 000008
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
衛生設備用のホース継手（１）であって、管状の継手・ベース体（２）を備えており、該継手・ベース体は、該継手・ベース体の少なくとも１つのベース体・端部領域に、フレキシブルな送水ホース（４）の被せ嵌めのための、少なくとも部分領域に成形部を備えるホースコネクタ（３）を有しており、更にフェルール（６）を備えており、該フェルールは、変形された状態で、前記送水ホース（４）の、該フェルール（６）により取り囲まれたホース端部（５）を前記ホースコネクタ（３）上に固定するようになっており、前記送水ホース（４）の、前記フェルール（６）により取り囲まれた前記ホース端部（５）は、前記ホースコネクタ（３）上に相対回動不能に固定されるようになっており、かつ、該ホース端部（５）は、前記ホースコネクタ（３）の周方向で非円形の成形区分（７）に被せ嵌められるようになっている形式のものにおいて、前記非円形の成形区分（７）は、周方向で角張って形成されており、該成形区分の周方向で角張って形成されてなる角部は、主要面により互いにつながれていることを特徴とする、衛生設備用のホース継手。
【請求項２】
前記非円形の成形区分（７）の角部（８）は、それぞれ９０度以下の鋭角を成しており、且つ／又は前記非円形の成形区分（７）は、周方向で３つ若しくは４つの角をもって形成されている請求項１に記載のホース継手。
【請求項３】
前記非円形の成形区分（７）は、前記ホースコネクタ（３）の、自由なコネクタ端部とは逆の側の部分領域に設けられている請求項１又は２に記載のホース継手。
【請求項４】
前記フェルール（６）の、前記自由なコネクタ端部とは逆の側の、有利には前記ホース端部（５）を超えて突出するスリーブ端部領域（１２）は、半径方向内側へ前記継手・ベース体（２）に向けて変形されている請求項１から３のいずれか１項に記載のホース継手。
【請求項５】
前記半径方向内側へ変形されたスリーブ端部領域（１２）は、該スリーブ端部領域の、前記継手・ベース体（２）に向いている端縁部でもって、該継手・ベース体（２）の円形の若しくは円くされた部分領域（１３）を取り囲んでおり、或いは該継手・ベース体（２）の角のある部分領域を相対回動不能に取り囲んでいる請求項４に記載のホース継手。
【請求項６】
前記ホースコネクタ（３）は、該ホースコネクタの自由なコネクタ端部領域に、該自由なコネクタ端部に向かって円錐形に先細の被せ嵌め円錐部（９）を有している請求項１から５のいずれか１項に記載のホース継手。
【請求項７】
前記被せ嵌め円錐部（９）と前記非円形の成形区分（７）との間に、少なくとも１つの環状つば若しくは環状段部（１０，１１）が設けられている請求項６に記載のホース継手。
【請求項８】
前記少なくとも１つの環状段部（１０，１１）は、前記自由なコネクタ端部に向かって円錐形に先細になっている請求項７に記載のホース継手。
【国際調査報告】
2012519260.tif 000009
2012519260.tif 000010
2012519260.tif 000011
2012519260.tif 000012
2012519260.tif 000013
2012519260.tif 000014